(57)【特許請求の範囲】
【請求項１】
枠と、トレイと、第１〜第４の側壁と、仕切り板と、ロッドと、からなり、
前記第１の側壁と前記第２の側壁は、互いに対向し、上端部で前記枠に回動可能に連結されており、下端部は前記トレイとは連結されておらず、
前記第３の側壁と前記第４の側壁は、互いに対向し、上端部で前記枠に前記第１、第２の側壁の回動方向と直交する方向に回動可能に連結され、下端部で前記トレイに前記第１、第２の側壁の回動方向と直交する方向に回動可能に連結され、上下方向途中部位で前記第１、第２の側壁の回動方向と直交する方向に折れ曲がり可能とされており、
前記仕切り板は、前記第１の側壁と前記第２の側壁との間の位置に設けられ、上端部で前記枠に前記第１、第２の側壁の回動方向と同方向に回動可能に連結されており、
前記ロッドは、前記第１の側壁の上端部から離れた部位と前記仕切り板の上端部から離れた部位に回動可能に連結されている、
仕切り板付き折り畳み式コンテナ。
【請求項２】
前記枠は前記仕切り板の回動軸と直交する方向に延び前記仕切り板の上端部が内部を移動可能な溝を有しており、
前記ロッドは前記第１の側壁の下端部が連結される第１の通常部と前記仕切り板の下端部が連結される第２の通常部とを有し、前記第２の通常部は前記第１の通常部に対して前記溝の長手方向と同方向に移動可能とされている、
請求項１記載の仕切り板付き折り畳み式コンテナ。
【請求項３】
前記ロッドの前記仕切り板との連結部位に上方に延びる上方延接部が形成されており、該上方延接部に上下方向に延びる長穴が形成されており、
前記仕切り板の前記ロッドとの連結部位には切欠きが形成されており、該切欠きに前記長穴内を摺動可能なピンが設けられている、
請求項１または請求項２記載の仕切り板付き折り畳み式コンテナ。
【発明の詳細な説明】
【０００１】
【発明の属する技術分野】
本発明は、仕切り板が設けられている折り畳み式コンテナに関する。
【０００２】
【従来の技術】
従来、図１０〜図１３に示すようた折り畳み式コンテナ１が用いられている。コンテナ１は、使用時には、枠２を上方に持ち上げることで簡単に使用可能状態にされ、不使用時には、折り畳まれて保管スペースが減少される。
【０００３】
【発明が解決しようとする課題】
しかし、従来の折り畳み式コンテナ１には、つぎの問題がある。
簡単な構造で底面と４側面を形成してコンテナ１になるが、収納物の大きさや収納物が何種類もある場合、仕切り板３が必要となり、折り畳み式コンテナ１と別体の仕切り板２を設けなければならないとともに、その組立が必要となる。
本発明の目的は、仕切り板が一体的に設けられ、仕切り板の組立がコンテナ本体の組立て作動に連動して自動的に行われる仕切り板付き折り畳み式コンテナを提供することにある。
【０００４】
【課題を解決するための手段】
（１）  枠と、トレイと、第１〜第４の側壁と、仕切り板と、ロッドと、からなり、
前記第１の側壁と前記第２の側壁は、互いに対向し、上端部で前記枠に回動可能に連結されており、下端部は前記トレイとは連結されておらず、
前記第３の側壁と前記第４の側壁は、互いに対向し、上端部で前記枠に前記第１、第２の側壁の回動方向と直交する方向に回動可能に連結され、下端部で前記トレイに前記第１、第２の側壁の回動方向と直交する方向に回動可能に連結され、上下方向途中部位で前記第１、第２の側壁の回動方向と直交する方向に折れ曲がり可能とされており、
前記仕切り板は、前記第１の側壁と前記第２の側壁との間の位置に設けられ、上端部で前記枠に前記第１、第２の側壁の回動方向と同方向に回動可能に連結されており、
前記ロッドは、前記第１の側壁の上端部から離れた部位と前記仕切り板の上端部から離れた部位に回動可能に連結されている、
仕切り板付き折り畳み式コンテナ。
（２）  前記枠は前記仕切り板の回動軸と直交する方向に延び前記仕切り板の上端部が内部を移動可能な溝を有しており、
前記ロッドは前記第１の側壁の下端部が連結される第１の通常部と前記仕切り板の下端部が連結される第２の通常部とを有し、前記第２の通常部は前記第１の通常部に対して前記溝の長手方向と同方向に移動可能とされている、（１）記載の仕切り板付き折り畳み式コンテナ。
（３）  前記ロッドの前記仕切り板との連結部位に上方に延びる上方延接部が形成されており、該上方延接部に上下方向に延びる長穴が形成されており、
前記仕切り板の前記ロッドとの連結部位には切欠きが形成されており、該切欠きに前記長穴内を摺動可能なピンが設けられている、（１）または（２）記載の仕切り板付き折り畳み式コンテナ。
【０００５】
上記（１）の仕切り板付き折り畳み式コンテナでは、仕切り板が第１の側壁と第２の側壁との間の位置に設けられているので、仕切り板がコンテナと一体に設けられる。また、ロッドが第１の側壁の上端部から離れた部位と仕切り板の上端部から離れた部位に回動可能に連結されているので、仕切り板が第１の側壁の回動に連動して回動し、仕切り板の組立てをコンテナの組立て作動に連動して自動的に行うことができる。
上記（２）の仕切り板付き折り畳み式コンテナでは、仕切り板と第１の側壁との間隔を変えることができる。そのため、コンテナに収納される収納物の大きさに合わせて仕切り板の位置を変えることができる。
上記（３）の仕切り板付き折り畳み式コンテナでは、仕切り板を収納する時、仕切り板は上下方向と直交する方向（水平方向）に延びる姿勢をとることができる。
【０００６】
【発明の実施の形態】
図１〜図５は、本発明の第１実施例の仕切り板付き折り畳み式コンテナを示しており、図６〜図９は、本発明の第２実施例の仕切り板付き折り畳み式コンテナを示している。
本発明の第１実施例と第２実施例に共通する部分には、本発明の第１実施例と第２実施例にわたって同じ符号を付してある。
【０００７】
まず、本発明の第１実施例と第２実施例に共通な部分を、たとえば図１〜図６を参照して、説明する。
本発明実施例の仕切り板付き折り畳み式コンテナ（以下、単にコンテナという）１０は、図１に示すように、枠２０と、トレイ３０と、第１の側壁４０と、第２の側壁５０と、第３の側壁６０と、第４の側壁７０と、仕切り板８０と、ロッド９０と、からなる。
【０００８】
枠２０は、コンテナ１０の上端部に配置され、コンテナ１０の開口を形成する。枠２０は、外側壁２１と内側壁２２と上壁２３とからなる。
外側壁２１と内側壁２２は、コンテナ１０の全周にわたって設けられている。外側壁２１と内側壁２２とは、コンテナ１０の上下方向と直交する方向に、互いに平行に設けられている。
内側壁２２は、外側壁２１より内周側に設けられている。内側壁２２には、上端以外の部位で、かつ下端以外の部位に、穴または溝２２ａが形成されている（図４、図６参照）。
上壁２３は、外側壁２１の上端と内側壁２２の上端とを、コンテナ１０の全周にわたって連結している。
【０００９】
トレイ３０は、底壁部３１と、立ち上がり部３２と、からなる。
底壁部３１は、コンテナ１０の底壁である。
立ち上がり部３２は、底壁部３１の外周端から上方に向って所定距離立ち上がっている。
【００１０】
第１の側壁４０は、コンテナ１０の１側壁である。第１の側壁４０は、上端部で枠２０の内側壁２２に回動可能に連結されている。第１の側壁４０の下端部は、トレイ３０に連結されていない。図４に示すように、第１の側壁４０の下端部で、第１の側壁４０の軸芯方向の一方の端部または両端部に、切欠き４１が形成されている。切欠き４１は、断面矩形とされている。切欠き４１の上下方向長さは、ロッド９０の後述の通常部９１の上下方向長さよりも長く、トレイ３０の立ち上がり部３２の上下方向長さよりも短い。切欠き４１の、第１の側壁４０の軸芯方向長さは、ロッド９０の厚みよりも長い。切欠き部４１には、ピン４２が設けられている。ピン４２は、切欠き部４１から第１の側壁４０の軸芯方向と平行な方向に延びている。
【００１１】
第２の側壁５０は、コンテナ１０の１側壁である。第２の側壁５０は、第１の側壁４０と対向する位置に設けられている。第２の側壁５０は、上端部で枠２０に回動可能に連結されている。第２の側壁５０の軸芯と第１の側壁４０の軸芯とは、互いに同方向に延びている。第２の側壁５０の下端部は、トレイ３０に連結されていない。
【００１２】
第３の側壁６０は、図２、図３に示すように、コンテナ１０の１側壁である。第３の側壁６０は、コンテナ１０が組み立てられた状態にある時（コンテナ１０が使用可能状態にある時）、コンテナ１０の収容部１１側の面で、第１の側壁４０および第２の側壁５０と接触する。第３の側壁６０は、上側壁６１と下側壁６２とからなる。上側壁６１と下側壁６２とは一体に形成されていてもよく、別体に形成されていてもよい。
上側壁６１の上端部は、枠２０に、第１の側壁４０と第２の側壁５０の回動方向と直交する方向に回動可能に連結されている。上側壁６１の下端部は、下側壁６２の上端部に対して、第１の側壁４０と第２の側壁５０の回動方向と直交する方向に折れ曲がり（回動）可能とされている。下側壁６２の下端部は、トレイ３０に、第１の側壁４０と第２の側壁５０の回動方向と直交する方向に回動可能に連結されている。
【００１３】
第４の側壁７０は、コンテナ１０の１側壁である。第４の側壁７０は、第３の側壁６０と対向する位置に設けられている。第４の側壁７０は、コンテナ１０が組み立てられた状態にある時、第３の側壁６０側の面で、第１の側壁４０および第２の側壁５０と接触する。第４の側壁７０は、上側壁７１と下側壁７２とからなる。上側壁７１と下側壁７２は一体に形成されていてもよく、別体に形成されていてもよい。
上側壁７１の上端部は、枠２０に、第１の側壁４０と第２の側壁５０の回動方向と直交する方向に回動可能に連結されている。上側壁７１の下端部は、下側壁７２の上端部に対して、第１の側壁４０と第２の側壁５０の回動方向と直交する方向に折れ曲がり（回動）可能とされている。下側壁７２の下端部は、トレイ３０に、第１の側壁４０と第２の側壁５０の回動方向と直交する方向に回動可能に連結されている。
【００１４】
仕切り板８０は、コンテナ１０の収容部１１を２つの収容部１１ａ、１１ｂに分ける。仕切り板８０は、第１の側壁４０と第２の側壁５０との間に設けられる。仕切り板８０は、第１の側壁４０と平行な位置にある。仕切り板８０の下端部は、トレイ３０に連結されていない。仕切り板８０は、図４に示すように、突起８１と、切欠き８２と、ピン８３とを、有する。
突起８１は、仕切り板８０の上端部に設けられている。突起８１は、枠２０の内側壁２２の穴または溝２２ａ内を移動および／または回動可能とされている。ここで、移動および／または回動とは、移動、移動と回動、回動の何れかからなることを示している。突起８１が穴または溝２２ａ内を回動することにより、仕切り板８０は、枠２０に対して回動する。仕切り板８０の軸芯方向と、第１の側壁４０および第２の側壁の軸芯方向とは同方向に延びている。
【００１５】
切欠き８２は、仕切り板８０の下端部で、仕切り板８０の、軸芯方向の一方の端部または両端部に形成されている。切欠き８２は、断面矩形とされている。切欠き８２の上下方向長さは、ロッド９０の後述の上方延接部９２の上下方向長さよりも長い。切欠き８２の、仕切り板８０の軸芯方向長さは、ロッド９０の厚みよりも長い。
ピン８３は、切欠き部８２に設けられている。ピン８３は、切欠き部８２から仕切り板８０の軸芯方向に延びている。ピン８３は、コンテナ１０が組み立てられた状態にある時、第１の側壁４０のピン４２と同じ上下方向位置に設けられている。
【００１６】
ロッド９０は、第１の側壁４０と仕切り板８０を連結している。ロッド９０は、コンテナ１０の収容部１１内にある。ロッド９０は、通常部９１と、上方延接部９２と、からなる。
通常部９１は、１部材または２部材からなる。通常部９１は、上下方向と直交する方向で、第１の側壁４０の軸芯方向と直交する方向に延びている。通常部９１の長手方向長さは、仕切り板８０の上端からピン８３までの距離よりも大である。通常部９１の長手方向の一端部には、ロッド９０を貫通する貫通穴９１ａが形成されている。貫通穴９１ａは、断面丸形状である。貫通穴９１ａには、第１の側壁４０の軸芯方向中央側から第１の側壁４０の軸芯方向外側に向って、第１の側壁４０のピン４２が嵌め込まれる。ピン４２は、貫通穴９１ａ内で回動可能である。
【００１７】
上方延接部９２は、通常部９１の長手方向の他端部（貫通穴９１ａが設けられていない側の端部）に設けられている。上方延接部９２の板厚は、通常部９１の板厚と同じである。上方延接部９２は、通常部９１よりも上下方向長さが大とされている。上方延接部９２には、上下方向に延びる長穴９２ａが形成されている。長穴９２ａの下端の上下方向位置は、貫通穴９１ａの下端の上下方向位置と同じである。長穴９２ａの上端の上下方向位置は、通常部９１の上端から仕切り板８０の板厚分だけ上方の位置にある。
【００１８】
ここで、作動を説明する。
まず、コンテナ１０が組み立てられている状態にある時（コンテナ１０が使用可能状態にある時）を説明する。第１〜第４の側壁４０、５０、６０、７０は、立ち上がっており、上下方向に延びている。仕切り板８０も上下方向に延びている。仕切り板８０のピン８３は、ロッド９０の長穴９２ａ内で下端部にある。
【００１９】
コンテナ１０が組み立てられている状態から、第１の側壁４０を第２の側壁５０に向って手で押し上げるとともに、第２の側壁５０を第１の側壁４０に向って手で押し上げる時を説明する。第１の側壁４０と第２の側壁５０は、それぞれ、上端部と下端部が同じ上下方向位置となるまで回動する。仕切り板８０は、ロッド９０を介して第１の側壁４０と連結されているので、第１の側壁４０の上方への回動とともに上方に向って回動する。仕切り板８０が上方に向って回動する時、仕切り板８０のピン８３は、仕切り板８０のうち切欠き８２の上壁８２ａがロッド９０の通常部９１の上面９１ｂに接触するまで、ロッド９０の長穴９２ａ内の下端で回動する。仕切り板８０の上壁８２ａがロッド９０の通常部９１の上面９１ｂに接触した後、さらに仕切り板８０を上方に回動させると、仕切り板８０の上壁８２ａが通常部９１の上面９１ｂに接触した状態で、仕切り板８０のピン８３がロッド９０の長穴９２ａ内を上方に向って移動する。仕切り板８０を水平方向に延びる姿勢になるまで上方に回動させた時、仕切り板８０のピン８３はロッド９０の長穴９２ａの上端に位置する（図５参照）。
【００２０】
第１の側壁４０と第２の側壁５０と仕切り板８０とが水平方向に延びる姿勢をとるまで第１の側壁４０と第２の側壁５０を押し上げた時、第３の側壁６０と第４の側壁７０とは折れ曲がり可能な状態にある。そのため、第１の側壁４０と第２の側壁５０と仕切り板８０とが水平方向に延びた状態で枠２０をトレイ３０側に移動させることにより、図３に示すように、第３の側壁６０と第４の側壁７０は折れ曲がり、コンテナ１０を折り畳むことができる。
【００２１】
コンテナ１０が折り畳まれた状態にある時を、図５を参照して、説明する。
第１〜第４の側壁４０、５０、６０、７０は、水平方向に延びている。仕切り板８０も水平方向に延びている。仕切り板８０のピン８３は、ロッド９０の長穴９２ａ内で上端に位置している。仕切り板８０のうち、第１の側壁４０側の面８０ａは、ロッド９０の通常部９１の上面９１ｂに接触している。
【００２２】
コンテナ１０が折り畳まれた状態から組み立てる時を説明する。
枠２０をトレイ３０に対して上方に引き上げると、図３に示すように、第１の側壁４０と第２の側壁５０と仕切り板８０とが水平方向に延びたまま、第３の側壁６０と第４の側壁７０が立ち上がる。第３の側壁６０と第４の側壁７０とが上下方向に延びる姿勢となった時、第１の側壁４０と第２の側壁５０と仕切り板８０は、図２に示すように、自重で下方に向って回動し、仕切り板８０付きのコンテナ１０が組み立てられる。
【００２３】
次に、本発明の第１実施例と第２実施例に共通する作用を説明する。
本発明実施例では、仕切り板８０が上端部で枠２０に第１の側壁４０の回動方向と同方向に回動可能に連結されており、ロッド９０が第１の側壁４０の下端部と仕切り板８０の下端部に回動可能に連結されている。そのため、仕切り板８０は、組立時、第１の側壁４０と連動して自重で下方へ回転し、折り畳み時、第１の側壁４０を上方へ回転させるとロッド９０を介して第１の側壁４０と連動して上方へ回転する。したがって、第１の側壁４０の組立てと同時に仕切り板８０を組み立てることができ、第１の側壁４０の折り畳みと同時に仕切り板８０を収納できる。
また、仕切り板８０のピン８３はロッド９０の長穴９２ａ内を移動可能であるので、仕切り板８０を収納する時、仕切り板８０は水平方向に延びる姿勢をとることができる。そのため、コンテナ１０を折り畳んだ時のコンテナ１０の上下方向高さは、仕切り板８０を設けていない場合のコンテナの上下方向高さと、同じかまたはほとんど同じである。
【００２４】
次に、本発明の各実施例に特有な部分を説明する。
本発明の第１実施例では、図１〜図５に示すように、枠２０の内側壁２２に、内側壁２２を貫通する穴２２ａが形成されている場合を示している。また、ロッド９０の通常部９１は１部材からなる場合を示している。
【００２５】
本発明の第２実施例では、図６〜図９に示すように、枠２０の内側壁２２に、内側壁２２を貫通する溝２２ａが形成されている場合を示している。また、ロッド９０の通常部９１は、第１の通常部９３と第２の通常部９４の２部材からなる場合を示している。
溝２２ａは、ロッド９０の通常部９１の長手方向と同方向に延びている。溝２２ａには、２以上の凹部２２ｂが設けられている。
【００２６】
ロッド９０の第１の通常部９３は、通常部９１と同方向に延びている。第１の通常部９３の長手方向一端部に貫通穴９１ａが設けられている。第１の通常部９３の長手方向途中の側壁に、凸部９３ａが１つ設けられている。第１の通常部９３の上壁および底壁に、上壁から上方に突出し、下壁から下方に突出する突出部９３ｂが設けられている。
ロッド９０の第２の通常部９４は、通常部９１と同方向に延びている。第２の通常部９４の長手方向一端部に上方延接部９２が設けられている。第２の通常部９４は、第１の通常部９３に対して、摺動可能である。第２の通常部９４は、長手方向途中の側壁に、第１の通常部９３の凸部９３ａが出入り可能とされた節度穴９４ａが２以上設けられている。節度穴９４ａは、枠２０の溝２２ａの凹部２２ｂと同数設けられており、ロッド９０の長手方向において、溝２２ａと同じ位置にある。第２の側壁９４の上壁および底壁に、上壁および底壁を上下方向に貫通する規制溝９４ｂが設けられている。規制溝９４ｂは、ロッド９０の長手方向に延びている。規制溝９４ｂは、第１の通常部９３の突出部９３ｂの移動範囲を規制する。
【００２７】
本発明の第２実施例では、枠２０に仕切り板８０の突起８１が移動可能な溝２２ａが設けられており、ロッド９０の通常部９１は第１の通常部９３と第２の通常部９４からなるので、仕切り板８０と第１の側壁４０との間隔を変えることができる。そのため、コンテナ１０に収納される収納物の大きさに合わせて仕切り板８０の位置を変えることができる。
【００２８】
【発明の効果】
請求項１記載の仕切り板付き折り畳み式コンテナによれば、仕切り板が第１の側壁と第２の側壁との間の位置に設けられているので、仕切り板がコンテナと一体に設けられる。また、ロッドが第１の側壁の上端部から離れた部位と仕切り板の上端部から離れた部位に回動可能に連結されているので、仕切り板が第１の側壁の回動に連動して回動し、仕切り板の組立てをコンテナの組立て作動に連動して自動的に行うことができる。
請求項２記載の仕切り板付き折り畳み式コンテナによれば、仕切り板と第１の側壁との間隔を変えることができる。そのため、コンテナに収納される収納物の大きさに合わせて仕切り板の位置を変えることができる。
請求項３記載の仕切り板付き折り畳み式コンテナによれば、仕切り板を収納する時、仕切り板は上下方向と直交する方向（水平方向）に延びる姿勢をとることができる。
【図面の簡単な説明】
【図１】本発明の第１実施例の仕切り板付き折り畳み式コンテナの、組み立てた状態を示す斜視図である。
【図２】本発明の第１実施例の仕切り板付き折り畳み式コンテナの、組み立てた状態から折り畳む途中を示す斜視図である。
【図３】本発明の第１実施例の仕切り板付き折り畳み式コンテナの、組み立てた状態から折り畳む途中を示す斜視図である。
【図４】本発明の第１実施例の仕切り板付き折り畳み式コンテナの、枠と第１の側壁と第２の側壁と仕切り板とロッドを示す斜視図である。
【図５】本発明の第１実施例の仕切り板付き折り畳み式コンテナの、枠と第１の側壁と仕切り板とロッドを示す断面図である。
【図６】本発明の第２実施例の仕切り板付き折り畳み式コンテナの、枠と第１の側壁と仕切り板とロッドの、折り畳んだ状態を示す断面図である。
【図７】本発明の第２実施例の仕切り板付き折り畳み式コンテナの、枠と第１の側壁と仕切り板とロッドの、組み立てた状態を示す断面図である。
【図８】図７のＡ−Ａ線拡大断面図である。
【図９】図７のＢ−Ｂ線拡大断面図である。
【図１０】従来の、折り畳んだ状態を示す斜視図である。
【図１１】従来の、組み立て途中状態を示す斜視図である。
【図１２】従来の、組み立て途中状態を示す斜視図である。
【図１３】従来の、組み立て後に仕切り板を取り付ける場合を示す斜視図である。
【符号の説明】
１０  コンテナ
２０  枠
２２ａ  穴または溝
３０  トレイ
４０  第１の側壁
５０  第２の側壁
６０  第３の側壁
７０  第４の側壁
８０  仕切り板
８２  切欠き
８３  ピン
９０  ロッド
９１  通常部
９２  上方延接部
９２ａ  長穴
９３  第１の通常部
９４  第２の通常部
【図１】
0003625762.tif 000002
【図２】
0003625762.tif 000003
【図３】
0003625762.tif 000004
【図４】
0003625762.tif 000005
【図５】
0003625762.tif 000006
【図６】
0003625762.tif 000007
【図７】
0003625762.tif 000008
【図８】
0003625762.tif 000009
【図９】
0003625762.tif 000010
【図１０】
0003625762.tif 000011
【図１１】
0003625762.tif 000012
【図１２】
0003625762.tif 000013
【図１３】
0003625762.tif 000014